(57)【要約】  直交周波数分割多元接続（ＯＦＤＭＡ）シグナリングを使用する１つ以上のＯＦＤＭＡ無線通信デバイスと、非ＯＦＤＭＡシグナリングを使用する非ＯＦＤＭＡ無線通信デバイスとを同時に連携させながら運用するように構成されるネットワークノードのリンクアダプテーション方法が開示される。非ＯＦＤＭＡシグナリングは、ＯＦＤＭＡシグナリングの最大帯域幅より狭い帯域幅を有する。その方法は、周波数ギャップを生成するために、ＯＦＤＭＡシグナリングから１つ以上のサブキャリアを除外することと、中心周波数が周波数ギャップの範囲内にあるように非ＯＦＤＭＡシグナリングの中心周波数を決定することとを含む。また、その方法は、第１の信号対干渉値に基づいて、ＯＦＤＭＡシグナリングのために使用されることになる変調符号化方式を選択することを含む。第１の信号対干渉値において、非ＯＦＤＭＡシグナリングはＯＦＤＭＡシグナリングに対する干渉として作用する。対応するコンピュータプログラム製品、構成及びネットワークノードも開示される。【選択図】図２
2020511800.tif 000002
【特許請求の範囲】
【請求項１】
直交周波数分割多元接続（ＯＦＤＭＡ）シグナリングを使用する１つ以上のＯＦＤＭＡ無線通信デバイス（１２０）と、前記ＯＦＤＭＡシグナリングの最大帯域幅より狭い帯域幅を有する非ＯＦＤＭＡシグナリングを使用する非ＯＦＤＭＡ無線通信デバイス（１１０）とを同時に連携させながら運用するように構成されるネットワークノードのリンクアダプテーション方法であって、前記方法は、
周波数ギャップを生成するために、前記ＯＦＤＭＡシグナリングから１つ以上のサブキャリアを除外すること（２３０）と、
前記非ＯＦＤＭＡシグナリングの中心周波数が前記周波数ギャップの範囲内にあるように、該中心周波数を決定すること（２４０）と、
第１の信号対干渉値に基づいて、前記ＯＦＤＭＡシグナリングのために使用されることになる変調符号化方式を選択すること（２５０）であって、前記非ＯＦＤＭＡシグナリングは前記ＯＦＤＭＡシグナリングに対する干渉として作用する、選択することとを含む、方法。
【請求項２】
前記ＯＦＤＭＡシグナリングのために使用されることになる前記変調符号化方式を選択することは、
前記ＯＦＤＭＡシグナリングのための基準変調符号化方式を選択すること、
前記周波数ギャップに隣接するサブキャリアの前記変調符号化方式を、前記基準変調符号化方式よりロバストである変調符号化方式に調整することとを含む、請求項１に記載の方法。
【請求項３】
第２の信号対干渉値に基づいて、前記非ＯＦＤＭＡシグナリングのために使用されることになる変調符号化方式選択すること（２５０）を更に含み、前記ＯＦＤＭＡシグナリングは前記非ＯＦＤＭＡシグナリングに対する干渉として作用する、請求項１又は２に記載の方法。
【請求項４】
前記ＯＦＤＭＡシグナリング及び前記非ＯＦＤＭＡシグナリングに関して、それぞれ第１の伝送電力レベル及び第２の伝送電力レベルが存在し、前記方法は、
第１の信号対干渉条件に基づいて、前記第１の伝送電力レベル及び前記第２の伝送電力レベルの少なくとも一方を選択し（２１０）、それにより、前記第１の信号対干渉値を適合させることを更に含む、請求項１から３のいずれか一項に記載の方法。
【請求項５】
第２の信号対干渉条件に基づいて、前記１つ以上の除外されるサブキャリアの数を選択すること（２２０）によって、前記第１の信号対干渉値を適合させることを更に含む、請求項１から４のいずれか一項に記載の方法。
【請求項６】
前記ＯＦＤＭＡシグナリング及び前記非ＯＦＤＭＡシグナリングはダウンリンク信号を含み、前記方法は、前記ダウンリンク信号を同時に伝送すること（２６０）を更に含む、請求項１から５のいずれか一項に記載の方法。
【請求項７】
前記ＯＦＤＭＡシグナリングから前記１つ以上のサブキャリアを除外することは、逆高速フーリエ変換器（ＩＦＦＴ）の対応する入力を０に設定することを含む、請求項６に記載の方法。
【請求項８】
前記ＯＦＤＭＡシグナリング及び前記非ＯＦＤＭＡシグナリングはアップリンク信号を含み、前記方法は、
前記除外されるサブキャリアと、前記ＯＦＤＭＡシグナリングのために使用されることになる前記選択された変調符号化方式とをそれぞれ示すメッセージを前記ＯＦＤＭＡ無線通信デバイスに送信すること（２７０）と、
前記中心周波数を示すメッセージを前記非ＯＦＤＭＡ無線通信デバイスに送信すること（２７０）とを更に含む、請求項１から５のいずれか一項に記載の方法。
【請求項９】
前記ＯＦＤＭＡ無線通信デバイスから、及び前記非ＯＦＤＭＡ無線通信デバイスから前記アップリンク信号を同時に受信することと、
ＯＦＤＭＡ復調信号から前記１つ以上のサブキャリアを除外することによって前記ＯＦＤＭＡシグナリングを抽出することと、
フィルタリングによって前記非ＯＦＤＭＡシグナリングを抽出することとを更に含む、請求項８に記載の方法。
【請求項１０】
前記ＯＦＤＭＡ復調信号から前記１つ以上のサブキャリアを除外することは、ＩＦＦＴの対応する出力を無視することを含む、請求項９に記載の方法。
【請求項１１】
プログラム命令を含むコンピュータプログラムを有するコンピュータ可読媒体（６００）を備えるコンピュータプログラム製品であって、前記コンピュータプログラムはデータ処理ユニットにロード可能であり、前記コンピュータプログラムが前記データ処理ユニットによって実行されるときに、請求項１から１０のいずれか一項に記載の方法を実行させるように構成される、コンピュータプログラム製品。
【請求項１２】
直交周波数分割多元接続（ＯＦＤＭＡ）シグナリングを使用する１つ以上のＯＦＤＭＡ無線通信デバイス（１２０）と、前記ＯＦＤＭＡシグナリングの最大帯域幅より狭い帯域幅を有する非ＯＦＤＭＡシグナリングを使用する非ＯＦＤＭＡ無線通信デバイス（１１０）とを同時に連携させながら運用するように構成されるネットワークノードのためのリンクアダプテーション装置であって、
前記構成はコントローラ（４２０）を備え、該コントローラは、
周波数ギャップを生成するために、前記ＯＦＤＭＡシグナリングから１つ以上のサブキャリアを除外させ、
前記非ＯＦＤＭＡシグナリングの中心周波数が前記周波数ギャップの範囲内にあるように、該中心周波数を決定させ、
第１の信号対干渉値に基づいて、前記ＯＦＤＭＡシグナリングのために使用されることになる変調符号化方式を選択させるように構成され、前記非ＯＦＤＭＡシグナリングは前記ＯＦＤＭＡシグナリングに対する干渉として作用する、リンクアダプテーション装置。
【請求項１３】
前記コントローラは、
前記ＯＦＤＭＡシグナリングのために使用されることになる基準変調符号化方式を選択させることと、
前記周波数ギャップに隣接するサブキャリアの前記変調符号化方式を前記基準変調符号化方式よりロバストである変調符号化方式に調整させることとによって、前記ＯＦＤＭＡシグナリングのために使用されることになる前記変調符号化方式を選択させるように構成される、請求項１２に記載の装置。
【請求項１４】
前記コントローラは、第２の信号対干渉値に基づいて、前記非ＯＦＤＭＡシグナリングのために使用されることになる変調符号化方式を選択させるように更に構成され、前記ＯＦＤＭＡシグナリングは前記非ＯＦＤＭＡシグナリングに対する干渉として作用する、請求項１２又は１３に記載の装置。
【請求項１５】
前記ＯＦＤＭＡシグナリング及び前記非ＯＦＤＭＡシグナリングに関して、それぞれ第１の伝送電力レベル及び第２の伝送電力レベルが存在し、前記コントローラは、
第１の信号対干渉条件に基づいて、前記第１の伝送電力レベル及び前記第２の伝送電力レベルのうちの少なくとも一方を選択させ、それにより、前記第１の信号対干渉値を適合させるように更に構成される、請求項１２から１４のいずれか一項に記載の装置。
【請求項１６】
前記コントローラは、第２の信号対干渉条件に基づいて、前記１つ以上の除外されるサブキャリアの数を選択させることによって、前記第１の信号対干渉値を適合させるように更に構成される、請求項１２から１５のいずれか一項に記載の装置。
【請求項１７】
前記ＯＦＤＭＡシグナリング及び前記非ＯＦＤＭＡシグナリングはダウンリンク信号を含み、前記コントローラは、前記ダウンリンク信号を同時に伝送させるように更に構成される、請求項１２から１６のいずれか一項に記載の装置。
【請求項１８】
前記ＯＦＤＭＡシグナリング及び前記非ＯＦＤＭＡシグナリングはアップリンク信号を含み、前記コントローラは、
前記除外されるサブキャリアと、前記ＯＦＤＭＡシグナリングのために使用されることになる前記選択された変調符号化方式とをそれぞれ示すメッセージを前記ＯＦＤＭＡ無線通信デバイスに送信させ、
前記中心周波数を示すメッセージを前記非ＯＦＤＭＡ無線通信デバイスに送信させるように更に構成される、請求項１２から１６のいずれか一項に記載の装置。
【請求項１９】
前記コントローラは、
前記ＯＦＤＭＡ無線通信デバイスから、及び前記非ＯＦＤＭＡ無線通信デバイスから前記アップリンク信号を同時に受信させ、
ＯＦＤＭＡ復調信号から前記１つ以上のサブキャリアを除外することによって、前記ＯＦＤＭＡシグナリングを抽出させ、
フィルタリングによって前記非ＯＦＤＭＡシグナリングを抽出させるように更に構成される、請求項１８に記載の装置。
【請求項２０】
請求項１２から１９のいずれか一項に記載の構成を備えるネットワークノード。
【発明の詳細な説明】
【技術分野】
【０００１】
本発明は一般に無線通信の分野に関する。より詳細には、本発明はＯＦＤＭＡ（直交周波数分割多元接続：ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）シグナリング及び非ＯＦＤＭＡシグナリングの共存に関する。
【背景技術】
【０００２】
ＯＦＤＭＡシグナリング及び非ＯＦＤＭＡシグナリングの共存が有益な場合がある数多くのシナリオがある。本明細書において例示として使用されることになる、そのようなタイプのシナリオは、無線通信においてモノのインターネット（ＩｏＴ：Ｉｎｔｅｒｎｅｔ  ｏｆ  Ｔｈｉｎｇｓ）の概念が顕著になりつつあるシナリオである。
【０００３】
モノのインターネットは、接続される通信デバイスの数を著しく増大させると予想される。これらのデバイスのうちの多くは、通常、免許不要帯域、例えば、２．４ＧＨｚ  ＩＳＭ（工業、科学及び医療）帯域において動作することができる。ＩｏＴサービスにおいて顕著になると予想される例示的な通信規格が、ブルートゥース無線技術（これ以降、ブルートゥース）、特にブルートゥースローエナジー（ＢＬＥ：Ｂｌｕｅｔｏｏｔｈ  Ｌｏｗ  Ｅｎｅｒｇｙ）、そして８０２．１１ａｘ等のＩＥＥＥ８０２．１１の将来のバージョンである。また、より安価に実現できるようにし、そして、より高いエネルギー効率で通信できるようにするために、ＩＥＥＥ８０２．１１の将来のバージョンは、本明細書においてＮＢ−ＷｉＦｉと呼ばれる、より効率的な狭帯域伝送をサポートできると予想することもできる。また、そのようなＮＢ−ＷｉＦｉバージョンは、少なくとも部分的に８０２．１１ａｘ上に構築されるものと予想することができる。
【０００４】
ＩｏＴは通常、低いデータ速度（一度に伝送するデータ量が少ない、及び／又はスケア伝送（ｓｃａｒｅｓ  ｔｒａｎｓｍｉｓｓｉｏｎ））を必要とすると考えられている。しかしながら、ＩｏＴデバイスの数は極めて多くなる場合があるので、集約されたＩｏＴデータ速度はそれでも実質的になる場合がある。
【０００５】
ＩｏＴ通信のために通常必要とされるカバレッジエリアは、セルラー通信システムによって提供されるカバレッジエリアより実質的に狭いと予想されるが、例えば、従来のブルートゥース又は８０２．１１ｂ／ｇ／ｎ／ａｃによって得ることができるカバレッジは、十分でない場合がある。カバレッジはデータ速度を下げることによって広げられる場合があるが、それは、通信チャネルを占有している間に、或るデータ量を伝送するのに、より長い時間を要することを意味する。ＩｏＴに関して予想されるような、大量のデバイスがチャネルを共有する場合には、これが輻輳につながる恐れがある。
【０００６】
また、要免許帯域において従来サポートされてきた通信サービスのために免許不要帯域を使用する傾向もある。例えば、第三世代パートナシッププロジェクト（３ＧＰＰ）は、５ＧＨｚ免許不要帯域において運用するための、そのＬｏｎｇ−Ｔｅｒｍ  Ｅｖｏｌｕｔｉｏｎ（ＬＴＥ）規格の先進バージョンを有する。
【０００７】
ＩｏＴアプリケーション及び非ＩｏＴアプリケーションの両方に関して良好な性能を得るために、通信の協調が有益な場合がある。チャネルを時間分割することによる協調は、ＩｏＴにおける個々のリンクに関するデータ速度が非常に遅くなり、結果としてスペクトル効率が低下する場合があるので、好ましくない場合がある。
【０００８】
非ＩｏＴ通信は通常、ＯＦＤＭＡシグナリングを使用することができる。ＥＰ１７９８９２４Ａ１は、第１の（ＯＦＤＭ）通信システムに関して、或る周波数範囲内のキャリア周波数を一時的に使用不能にして、第２の通信システムのための周波数範囲を提供する解決策を開示する。問題は、第１の通信システム及び第２の通信システムが互いに干渉する場合があることである。
【０００９】
それゆえ、ＯＦＤＭＡシグナリング及び非ＯＦＤＭＡシグナリングが共存するシナリオにおいて、リンクアダプテーション手法が必要とされている。
【発明の概要】
【００１０】
本明細書において使用されるときに、「備える、含む（ｃｏｍｐｒｉｓｅｓ／ｃｏｍｐｒｉｓｉｎｇ）」という用語は、言及される特徴、整数、ステップ又は構成要素の存在を明記するために用いられるが、１つ以上の他の特徴、整数、ステップ、構成要素又はそのグループの存在又は追加を排除するものではないことが強調されるべきである。
【００１１】
いくつかの実施形態の目的は、上記の、又は他の不都合な点のうちの少なくともいくつかを解決するか、又は軽減することである。
【００１２】
第１の態様によれば、ネットワークノードのリンクアダプテーション方法によって、これが達成される。ネットワークノードは、直交周波数分割多元接続（ＯＦＤＭＡ）シグナリングを使用する１つ以上のＯＦＤＭＡ無線通信デバイスと、非ＯＦＤＭＡシグナリングを使用する非ＯＦＤＭＡ無線通信デバイスとを同時に連携させながら運用するように構成される。非ＯＦＤＭＡシグナリングは、ＯＦＤＭＡシグナリングの最大帯域幅より狭い帯域幅を有する。
【００１３】
その方法は、周波数ギャップを生成するために、ＯＦＤＭＡシグナリングから１つ以上のサブキャリアを除外することと、中心周波数が周波数ギャップの範囲内にあるように非ＯＦＤＭＡシグナリングの中心周波数を決定することとを含む。また、その方法は、第１の信号対干渉値に基づいて、ＯＦＤＭＡシグナリングのために使用されることになる変調符号化方式を選択することを含み、非ＯＦＤＭＡシグナリングはＯＦＤＭＡシグナリングに対する干渉として作用する。
【００１４】
ネットワークノードは、例えば、ＯＦＤＭＡシグナリングを用いてＩＥＥＥ８０２．１１又は別の規格に従って動作し、非ＯＦＤＭＡシグナリングを用いてブルートゥース又は別の規格に従って動作するように構成されるアクセスポイント（ＡＰ）とすることができる。ＯＦＤＭＡ無線通信デバイスはそれぞれ、例えば、ＯＦＤＭＡシグナリングを用いてＩＥＥＥ８０２．１１又は別の規格に従って動作するように構成されるユーザ機器（ＵＥ）又は基地局（ＳＴＡ）とすることができる。非ＯＦＤＭＡ無線通信デバイスは、例えば、非ＯＦＤＭＡシグナリングを用いてブルートゥース（例えば、ＢＬＥ）又は別の規格に従って動作するように構成されるユーザ機器（ＵＥ）又は基地局（ＳＴＡ）とすることができる。
【００１５】
ＯＦＤＭＡシグナリングは、例えば、非ＯＦＤＭＡシグナリングがサポートするように構成される各無線通信デバイスに関連するデータ速度より（実質的に）高い、各無線通信デバイスに関連するデータ速度をサポートするように構成することができる。
【００１６】
非ＯＦＤＭＡシグナリングは、例えば、ＯＦＤＭＡシグナリングの最大帯域幅より実質的に狭い帯域幅、例えば、ＯＦＤＭＡシグナリングの最大帯域幅の１０分の１未満、又は１０分の１に概ね等しい帯域幅を有することができる。
【００１７】
生成された周波数ギャップは、例えば、非ＯＦＤＭＡシグナリングの帯域幅に概ね等しい場合がある。
【００１８】
除外されることになるサブキャリアは、例えば、隣接するサブキャリアとすることができる。例えば、除外されることになるサブキャリアは、ＯＦＤＭＡシグナリングの（例えば、最小の）リソースユニット（ＲＵ）のサブキャリアとすることができる。
【００１９】
中心周波数は、例えば、生成された周波数ギャップ内の（概ね）中心に位置するように決定することができる。非ＯＦＤＭＡシグナリングの中心周波数を生成された周波数ギャップの範囲内に入るように決定することは、例えば、ＯＦＤＭＡシグナリング及び非ＯＦＤＭＡシグナリングの一方又は両方を、必要に応じて周波数シフトすることによって達成することができる。
【００２０】
ＯＦＤＭＡシグナリングのために使用されることになる変調符号化方式の選択は、例えば、（複数の潜在的な変調符号化方式に関して）第１の信号対干渉値を潜在的な変調符号化方式に関連付けられる信号対干渉しきい値と比較することと、第１の信号対干渉値が関連する信号対干渉しきい値より大きい、潜在的な変調符号化方式のうちの１つを選択することとを含むことができる。例えば、選択された変調符号化方式は、第１の信号対干渉値が関連する信号対干渉しきい値より大きい潜在的な変調符号化方式の中の、最大容量を提供する（及び／又は最もロバストでない）変調符号化方式とすることができる。
【００２１】
いくつかの実施形態において、ＯＦＤＭＡシグナリングのために使用されることになる変調符号化方式を選択することは、ＯＦＤＭＡシグナリングのための基準変調符号化方式を選択することと、周波数ギャップに隣接するサブキャリアの変調符号化方式を、基準変調符号化方式よりロバストである変調符号化方式に調整することとを含むことができる。「隣接する」は、直に隣接することのみを示す場合があるか、又は直に隣接することを含む集合（例えば、リソースブロック）を示す場合がある。
【００２２】
符号化速度、変調のビット／シンボル、パケットサイズ又はその組み合わせに関して、変調符号化方式のロバスト性を規定することができる。例えば、或る変調符号化方式が、別の変調符号化方式より低い符号化速度及び／又は低いビット／シンボルを有する場合には、その変調符号化方式の方がロバストであると見なすことができる。ロバスト性の高い変調符号化方式の典型的な特徴として、より小さい信号対干渉比（ＳＩＲ）の場合に既に、ロバスト性の低い変調符号化方式と同じ誤り率を達成すると予想できる場合がある。
【００２３】
いくつかの実施形態において、その方法は、第２の信号対干渉値に基づいて、非ＯＦＤＭＡシグナリングのために使用されることになる変調符号化方式を選択することを更に含むことができ、ＯＦＤＭＡシグナリングは非ＯＦＤＭＡシグナリングに対する干渉として作用する。非ＯＦＤＭＡシグナリングのために使用されることになる変調符号化方式の選択は、例えば、ＯＦＤＭＡシグナリングのために使用されることになる変調符号化方式の選択の場合に上記で説明されたと同様の検討を含むことができる。いくつかの実施形態において、非ＯＦＤＭＡシグナリングのために使用されることになる潜在的な変調符号化方式は、ブルートゥース通信の異なるモードとすることができる。
【００２４】
ＯＦＤＭＡシグナリング及び非ＯＦＤＭＡシグナリングに関して、それぞれ第１の伝送電力レベル及び第２の伝送電力レベルが存在するいくつかの実施形態では、その方法は、第１の信号対干渉値に基づいて、第１の伝送電力レベル及び第２の伝送電力レベルのうちの少なくとも一方を選択し、それにより、第１の（及び第２の）信号対干渉値を適合させることを更に含むことができる。
【００２５】
第１の伝送電力レベル及び第２の伝送電力レベルのうちの少なくとも一方の選択は、例えば、第１の信号対干渉値がＯＦＤＭＡシグナリングに関連付けられる最小信号対干渉値より大きいように（第１の信号干渉条件）、第１の伝送電力レベル及び第２の伝送電力レベルのうちの少なくとも一方を選択することを含むことができる。
【００２６】
それに加えて、又はその代わりに、第１の伝送電力レベル及び第２の伝送電力レベルのうちの少なくとも一方の選択は、例えば、第２の信号対干渉値が非ＯＦＤＭＡシグナリングに関連付けられる最小信号対干渉値より大きいように、第１の伝送電力レベル及び第２の伝送電力レベルのうちの少なくとも一方を選択することを含むことができる。
【００２７】
いくつかの実施形態によれば、その方法は、第２の信号対干渉値に基づいて、１つ以上の除外されるサブキャリアの数を選択することによって、第１の（及び第２の）信号対干渉値を適合させることを更に含むことができる。
【００２８】
１つ以上の除外されるサブキャリアの数の選択は、例えば、最悪時の第１の信号対干渉値がＯＦＤＭＡシグナリングに関連付けられる最小信号対干渉値より大きいように（第２の信号対干渉条件）、その数を選択することを含むことができる。
【００２９】
ＯＦＤＭＡシグナリング及び非ＯＦＤＭＡシグナリングは、いくつかの実施形態によれば、ダウンリンク（ＤＬ）信号を含むことができ、その方法は、ダウンリンク信号を同時に伝送することを更に含むことができる。
【００３０】
ＯＦＤＭＡシグナリングから１つ以上のサブキャリアを除外することは、逆高速フーリエ変換器（ＩＦＦＴ）の対応する出力を０に設定することを含むことができる。
【００３１】
ＯＦＤＭＡシグナリング及び非ＯＦＤＭＡシグナリングは、いくつかの実施形態によれば、アップリンク（ＵＬ）信号を含むことができる。その際、その方法は、除外されるサブキャリアと、ＯＦＤＭＡシグナリングのために使用されることになる選択された変調符号化方式とをそれぞれ示すメッセージを（ＯＦＤＭＡ無線通信デバイスに）送信することと、中心周波数を示すメッセージを（非ＯＦＤＭＡ無線通信デバイスに）送信することとを更に含むことができる。
【００３２】
メッセージ（上記のメッセージと同じであるか、又は異なる）は、非ＯＦＤＭＡシグナリングのために使用されることになる選択された変調符号化方式、第１及び／又は第２の伝送電力レベル等のうちの１つ以上等の他の伝送パラメータを指示することもできる。
【００３３】
アップリンク伝送のために使用されることになるサブキャリアを指示するＯＦＤＭＡ無線通信デバイスへのメッセージは、除外されるサブキャリアを示すメッセージの一例であることを意図しており、使用されることになるサブキャリアは、除外されるサブキャリアを含まないか、又は除外されるサブキャリアと重ならない。
【００３４】
その方法は、いくつかの実施形態において、ＯＦＤＭＡ無線通信デバイスから、及び非ＯＦＤＭＡ無線通信デバイスからアップリンク信号を同時に受信することと、ＯＦＤＭＡ復調信号から１つ以上のサブキャリアを除外することによってＯＦＤＭＡシグナリングを抽出することと、フィルタリングによって非ＯＦＤＭＡシグナリングを抽出することとを更に含むことができる。ＯＦＤＭＡ復調信号から１つ以上のサブキャリアを除外することは、通常、非ＯＦＤＭＡシグナリングに対応するサブキャリアを除外することを含むことができる。
【００３５】
ＯＦＤＭＡ復調信号から１つ以上のサブキャリアを除外することは、ＩＦＦＴの対応する出力を０に設定することを含むことができるか、又はＩＦＦＴの対応する出力を無視することを含むことができる。ＩＦＦＴのいくつかの出力を無視することは、ＯＦＤＭＡ復調において、それらの出力を使用しないことを含むことができる。
【００３６】
第２の態様は、プログラム命令を含むコンピュータプログラムを有する、コンピュータ可読媒体を備えるコンピュータプログラム製品であり、コンピュータプログラムはデータ処理ユニットにロード可能であり、コンピュータプログラムがデータ処理ユニットによって実行されるときに、第１の態様による方法を実行させるように構成される。
【００３７】
第３の態様は、ネットワークノードのためのリンクアダプテーション装置である。ネットワークノードは、直交周波数分割多元接続（ＯＦＤＭＡ）シグナリングを使用する１つ以上のＯＦＤＭＡ無線通信デバイスと、非ＯＦＤＭＡシグナリングを使用する非ＯＦＤＭＡ無線通信デバイスとを同時に連携させながら運用するように構成される。非ＯＦＤＭＡシグナリングは、ＯＦＤＭＡシグナリングの最大帯域幅より狭い帯域幅を有する。
【００３８】
その装置は、周波数ギャップを生成するためにＯＦＤＭＡシグナリングから１つ以上のサブキャリアを除外させ（例えば、周波数ギャップ生成器による）、中心周波数が周波数ギャップの範囲内にあるように、非ＯＦＤＭＡシグナリングの中心周波数を決定させ（例えば、中心周波数決定器による）、第１の信号対干渉値に基づいて、ＯＦＤＭＡシグナリングのために使用されることになる変調符号化方式を選択させる（例えば、変調符号化方式選択器による）ように構成されるコントローラを備え、非ＯＦＤＭＡシグナリングはＯＦＤＭＡシグナリングに対する干渉として作用する。
【００３９】
いくつかの実施形態において、コントローラは、第２の信号対干渉値に基づいて、非ＯＦＤＭＡシグナリングのために使用されることになる変調符号化方式を選択させる（例えば、同じ、又は異なる変調符号化方式選択器による）ように更に構成することができ、ＯＦＤＭＡシグナリングは非ＯＦＤＭＡシグナリングに対する干渉として作用する。
【００４０】
ＯＦＤＭＡシグナリング及び非ＯＦＤＭＡシグナリングに関して、それぞれ第１の伝送電力レベル及び第２の伝送電力レベルが存在するいくつかの実施形態では、コントローラは、第１の信号対干渉条件に基づいて、第１の伝送電力レベル及び第２の伝送電力レベルのうちの少なくとも一方を選択させ（例えば、電力レベル選択器による）、それにより、第１の信号対干渉値を適合させるように更に構成することができる。
【００４１】
いくつかの実施形態によれば、コントローラは、第２の信号対干渉条件に基づいて、１つ以上の除外されるサブキャリアの数を選択させる（例えば、帯域幅選択器と組み合わせた周波数ギャップ生成器による）ことによって、第１の信号対干渉値を適合させるように更に構成することができる。
【００４２】
いくつかの実施形態において、ＯＦＤＭＡシグナリング及び非ＯＦＤＭＡシグナリングはダウンリンク信号を含み、コントローラは、ダウンリンク信号を同時に伝送させる（例えば、トランスミッター／トランシーバーによる）ように更に構成することができる。
【００４３】
いくつかの実施形態において、ＯＦＤＭＡシグナリング及び非ＯＦＤＭＡシグナリングはアップリンク信号を含み、コントローラは、除外されるサブキャリアと、選択された変調符号化方式とをそれぞれ示すメッセージを（例えば、トランスミッター／トランシーバーによって、ＯＦＤＭＡ無線通信デバイスに）送信させ、中心周波数を示すメッセージを（例えば、トランスミッター／トランシーバーによって、非ＯＦＤＭＡ無線通信デバイスに）送信させるように更に構成することができる。
【００４４】
コントローラは、いくつかの実施形態によれば、ＯＦＤＭＡ無線通信デバイスから、及び非ＯＦＤＭＡ無線通信デバイスからアップリンク信号を同時に受信させ（例えば、レシーバー／トランシーバーによる）、ＯＦＤＭＡ復調信号から１つ以上のサブキャリアを除外することによってＯＦＤＭＡシグナリングを抽出させ、フィルタリングによって非ＯＦＤＭＡシグナリングを抽出させるように更に構成することができる。ＯＦＤＭＡ復調信号から１つ以上のサブキャリアを除外することは、通常、非ＯＦＤＭＡシグナリングに対応するサブキャリアを除外することを含むことができる。
【００４５】
第４の態様は、第３の態様による装置を備えるネットワークノードである。
【００４６】
いくつかの実施形態において、上記の態様のいずれかは、他の態様のいずれかに関して上記で説明されたような種々の特徴のうちのいずれかと同一であるか、又は種々の特徴のうちのいずれかに対応する特徴を更に有することができる。
【００４７】
いくつかの実施形態の利点は、ＯＦＤＭＡシグナリング及び非ＯＦＤＭＡシグナリングの共存が可能になることである。
【００４８】
いくつかの実施形態の別の利点は、時分割が回避されることである。
【００４９】
更なる目的、特徴及び利点は、添付の図面が参照される、実施形態の以下の詳細な説明から明らかになるであろう。
【図面の簡単な説明】
【００５０】
【図１】いくつかの実施形態が適用可能な場合がある例示的なシナリオを示す概略図である。
【図２】いくつかの実施形態による、例示的な方法ステップを示すフローチャートである。
【図３】いくつかの実施形態に関連する場合があるＯＦＤＭＡシグナリングの概略図である。
【図４】いくつかの実施形態による、例示的な構成を示す概略的なブロック図である。
【図５】いくつかの実施形態による、例示的なトランスミッター及びレシーバー装置を示す概略的なブロック図である。
【図６】いくつかの実施形態による、コンピュータ可読媒体を示す概略図である。
【発明を実施するための形態】
【００５１】
本明細書において説明される実施形態によれば、非ＩｏＴシステムにＯＦＤＭＡを使用させ、ＩｏＴシステムに１つ以上のサブキャリアを割り当て、非ＩｏＴシステムのために残りのサブキャリアを使用することによって、ＩｏＴシステム（通常、低いデータ速度を有する）及び非ＩｏＴシステム（通常、高いデータ速度を有する）が同時に動作できるようにする。この手法に伴う利点は、ＩｏＴシステムに割り振られるサブキャリアの量をかなり自由に変更できることである。
【００５２】
ＯＦＤＭを使用することは概念的に簡単であり、１ＧＨｚ未満において使用されるように開発された規格である、例えば、ＩＥＥＥ８０２．１１ａｈにおいて既に使用されている手法である。しかしながら、多くのＩｏＴデバイスでは、電力消費量、コスト等のパラメータ、及び実現するのが簡単であることが特に重要であるので、ＩｏＴ通信にとってＯＦＤＭは恐らく良い選択肢でない。それゆえ、ＩｏＴ通信により適した選択肢は、例えば、ＢＬＥにおいて使用されるようなガウス周波数シフトキーイング（ＧＦＳＫ：Ｇａｕｓｓｉａｎ  Ｆｒｅｑｕｅｎｃｙ  Ｓｈｉｆｔ  Ｋｅｙｉｎｇ）であるかもしれない。
【００５３】
複数の実施形態が、２つの異なる物理層（ＰＨＹ）を結合する手法を提供し、一方のＰＨＹは、高いデータ速度の通信（ＯＦＤＭＡを使用する）を意図しており、他方のＰＨＹは、低いデータ速度の通信（非ＯＦＤＭＡを使用する、例えば、ＩｏＴ通信）を意図している。２つのＰＨＹの信号は、互いに完全には直交しない場合がある。それゆえ、両方のタイプの信号に関して適切な動作を確実にするために、例えば、変調符号化方式、伝送電力レベル等の伝送パラメータを選択するときに、好ましくは、２つのＰＨＹ間の干渉が考慮に入れられるべきである。
【００５４】
以下において、ＯＦＤＭＡのために使用されるリンク（又は複数のリンク）及び非ＯＦＤＭＡのために使用されるリンクのうちの少なくとも一方が、高い周波数効率において、ＯＦＤＭＡ及び非ＯＦＤＭＡの同時運用に対応するように構成される実施形態が説明される。（協調）リンクアダプテーション（ＬＡ）は、関連するリンクのうちの１つ以上に関する、変調符号化方式、伝送電力レベル及び周波数割り振りのうちの１つ以上を適応させることを含むことができる。
【００５５】
図１は、いくつかの実施形態が適用可能な場合がある例示的なシナリオを示す。例示的なシナリオにおいて、ネットワークノード（ＮＷＮ）１００が、ＯＦＤＭＡを使用する１つ以上のＯＦＤＭＡ無線通信デバイス１２０及び非ＯＦＤＭＡを使用する非ＯＦＤＭＡ無線通信デバイス１１０を同時に連携させながら運用するように構成される。非ＯＦＤＭＡ信号は通常、ＯＦＤＭＡ信号の最大帯域幅より狭い帯域幅を有する。ＯＦＤＭＡ信号は、例えば、ＩＥＥＥ８０２．１１規格（例えば、ＩＥＥＥ８０２．１１ａｘ）に準拠することができ、非ＯＦＤＭＡ信号は、例えば、ブルートゥース規格（例えば、ブルートゥースローエナジー−ＢＬＥ）に準拠することができる。
【００５６】
図２は、いくつかの実施形態による、例示的な方法２００を示す。例示的な方法２００は、例えば、図１のネットワークノード１００において実行される場合がある。
【００５７】
例示的な方法２００の種々のステップは任意選択とすることができる（破線枠によって示される）ことに留意されたい。更に、例示的な方法２００の種々のステップが或る特定の順序において実行されるように説明される場合であっても、これは限定するものと見なされるべきでないことに留意されたい。逆に、複数のステップを別の順序において実行することもでき、それでも依然として本発明の範囲内に入る。例えば、ステップ２５０はステップ２４０の前に、更にはステップ２３０の前に実行することもでき、ステップ２４０はステップ２３０の前に実行することもでき、ステップ２１０〜２５０（又はそのうちの選択したもの）を繰り返し実行することもできる等である。
【００５８】
その方法はステップ２１０において開始し、関連するリンクのための伝送電力レベルが選択される。いくつかの実施形態において、全てのリンクが可変の伝送電力レベルを有することができ、一方、他の実施形態では、いくつかのリンクが、本明細書において提示される状況において変更されない伝送電力レベルを有することができる（ただし、別の状況では、可変にすることができる）。
【００５９】
伝送電力レベルは、信号対干渉条件に基づいて選択される。例えば、その選択は、結果として生じる信号対干渉値（非ＯＦＤＭＡ信号がＯＦＤＭＡ信号に対する干渉として作用する）が、ＯＦＤＭＡシグナリングに関連付けられる最小許容信号対干渉値より大きくなるように行うことができる。それに加えて、又はその代わりに、その選択は、結果として生じる信号対干渉値（ＯＦＤＭＡ信号が非ＯＦＤＭＡ信号に対する干渉として作用する）が、非ＯＦＤＭＡ信号に関連付けられる最小許容信号対干渉値より大きくなるように行うことができる。
【００６０】
ステップ２２０において、ＯＦＤＭＡ信号の複数のサブキャリアが選択され、それらのサブキャリアが、ステップ２３０においてＯＦＤＭＡ信号から除外され、それにより、ＯＦＤＭＡ信号内に周波数ギャップが生成される。周波数ギャップは、非ＯＦＤＭＡ信号に対応するものであり、ステップ２４０において、非ＯＦＤＭＡ信号の中心周波数が周波数ギャップの範囲内にある（通常、概ねその中心に位置する）ように、非ＯＦＤＭＡ信号の中心周波数が決定される。
【００６１】
通常、除外すべきサブキャリアの数は、非ＯＦＤＭＡ信号の帯域幅に基づく。例えば、除外されることになるサブキャリアは、非ＯＦＤＭＡ信号をその中に収容できる場合には、ＯＦＤＭＡ信号の（例えば、最小）リソースユニット（ＲＵ）のサブキャリアとすることができ、非ＯＦＤＭＡ信号の帯域幅が要求する場合には、２つ以上のＲＵ（又はより大きいＲＵ）のサブキャリアを除外することができる。
【００６２】
除外すべきサブキャリアの数の選択は、ＯＦＤＭＡ信号及び非ＯＦＤＭＡ信号の信号対干渉値の適合を意味することができる。それゆえ、その数は、ステップ２１０の伝送電力レベル選択に関して説明されたのと同様にして、１つ以上の信号対干渉条件に基づいて選択することができる。
【００６３】
いくつかの実施形態において、非ＯＦＤＭＡ信号の帯域幅は可変とすることができる。例えば、広い帯域幅を使用するほど、高い伝送電力レベルを回避できる場合があり、及び／又は特定の変調符号化方式を使用できる場合がある。その際、ステップ２２０の選択は、好ましくは、それに応じて可変にすべきである。
【００６４】
ステップ２５０において、ＯＦＤＭＡ信号のために使用されることになる変調符号化方式が選択される。その選択は信号対干渉値に基づき、非ＯＦＤＭＡ信号はＯＦＤＭＡ信号に対する干渉として作用する。
【００６５】
ＯＦＤＭＡシグナリングのために使用されることになる変調符号化方式の選択は、例えば、（複数の潜在的な変調符号化方式に関して）信号対干渉値を潜在的な変調符号化方式に関連付けられる信号対干渉しきい値と比較することと、信号対干渉値が関連する信号対干渉しきい値より大きい、潜在的な変調符号化方式のうちの１つを選択することとを含むことができる。
【００６６】
通常、ＯＦＤＭＡ信号のために使用されることになる選択された変調符号化方式は、ＯＦＤＭＡ信号のための基準変調符号化方式と、周波数ギャップに隣接する（又は近い）１つ以上のサブキャリアのための調整された変調符号化方式とを含み、調整された変調符号化方式は、基準変調符号化方式よりロバストである。
【００６７】
また、ステップ２５０における選択は、非ＯＦＤＭＡ信号のために使用されることになる変調符号化方式を選択することを含むことができる。この選択は信号対干渉値に基づき、ＯＦＤＭＡ信号のために使用されることになる変調符号化方式の選択に関して上記で説明されたのと同様に、ＯＦＤＭＡ信号は非ＯＦＤＭＡ信号に対する干渉として作用する。
【００６８】
ＯＦＤＭＡ及び非ＯＦＤＭＡの共存は、アップリンク通信及び／又はダウンリンク通信に関連する場合がある。
【００６９】
ダウンリンク通信の場合、その方法は、ステップ２６０において例示されるように、ダウンリンクＯＦＤＭＡ信号及び非ＯＦＤＭＡ信号を同時に伝送することを更に含むことができる。
【００７０】
アップリンク通信の場合、その方法は、ステップ２７０において例示されるように、伝送パラメータに関する指示を無線通信デバイス（ＷＣＤ）に送信することを更に含むことができる。そのような伝送パラメータは、ステップ２１０、２２０、２４０及び２５０のうちの１つ以上のステップのパラメータの関連する選択を含むことができる。通常、少なくとも除外されるサブキャリア（場合によっては、除外されるサブキャリアと重ならないアップリンクの割り振りの形をとる）及び選択された符号化及び変調方式をＯＦＤＭＡ無線通信デバイスに指示することができ、少なくとも中心周波数を非ＯＦＤＭＡ無線通信デバイスに指示することができる。
【００７１】
アップリンク通信の場合、その方法は、ＯＦＤＭＡ無線通信デバイスから、及び非ＯＦＤＭＡ無線通信デバイス（図２には示されない）からアップリンク信号を同時に受信することを更に含むことができる。
【００７２】
ダウンリンクに関して協調ＬＡが実行されるとき、ＯＦＤＭＡ信号及び非ＯＦＤＭＡ信号はネットワークノードから伝送され、そのネットワークノードは、リンクアダプテーションのためにパラメータ（変調符号化方式、伝送電力レベル、除外すべきサブキャリアの数等）を協調して選択するのと同じノードである。したがって、ネットワークノードは、その場で（例えば、パケットごとに）パラメータを調整する方法を決定することができ、協調ＬＡは、ダウンリンク信号のレシーバーに対して完全にトランスペアレントにすることができる。
【００７３】
アップリンクに関して協調リンクＬＡが実行されるとき、パラメータの選択は、（少なくとも部分的に）ネットワークノードから無線通信デバイスへの情報（例えば、命令）に、及び／又はその逆への情報（例えば、測定報告）に基づくことができる。したがって、協調ＬＡは、アップリンク信号のトランスミッターに対して完全にはトランスペアレントではない。しかしながら、ネットワークノードからの命令は、リンクアダプテーション命令の理由を無線通信デバイスに伝達する必要はない。更に、通信が失敗するチャネル状況が許容されるように、アップリンクシナリオにおいてパラメータを選択するのが有利な場合がある。
【００７４】
図３は、ＯＦＤＭＡシグナリングのための周波数スペクトルの、異なるサイズのリソースユニット（ＲＵ）への典型的な分割を概略的に示す。図３に示される特定の例は、例えば、ＩＥＥＥ８０２．１１ａｘ（例えば、ＩＥＥＥ８０２．１１無線ＬＡＮ「Ｓｐｅｃｉｆｉｃａｔｉｏｎ  Ｆｒａｍｅｗｏｒｋ  ｆｏｒ  ＴＧａｘ」規格書（ＩＥＥＥ  ８０２．１１−１５／０１３２ｒ８、２０１５年９月、図１１）を参照）における２０ＭＨｚの割り振りに関連することができる。この例によれば、周波数スペクトルは、単一のＲＵ３０１のために、２つのＲＵ３１１、３１８のために、４つのＲＵ３２１、３２３、３２６、３２８のために、又は８つのＲＵ３３１、３３２、３３３、３３４、３３５、３３６、３３７、３３８のために使用することができる。パイロットトーンが矢印３５１〜３５８及び３６１〜３６８として表される。図２に関連して説明された方法に関して、例えば、ＲＵ３３５が、ＯＦＤＭＡシグナリングから除外され、非ＯＦＤＭＡシグナリングのために使用することができる。
【００７５】
図４は、例えば、図２に関連して説明された方法を実行するように構成することができる例示的な装置４００を概略的に示す。
【００７６】
装置４００は、ＯＦＤＭＡを使用する１つ以上のＯＦＤＭＡ無線通信デバイス及び非ＯＦＤＭＡを使用する非ＯＦＤＭＡ無線通信デバイスを同時に連携させながら運用するように構成されるネットワークノード内に備えられる場合がある。非ＯＦＤＭＡ信号は、ＯＦＤＭＡ信号の最大帯域幅より狭い帯域幅を有する。
【００７７】
装置４００はコントローラ（ＣＮＴＲ）４２０を備え、場合によっては、トランスミッター及び／又はレシーバー（図４においてトランシーバー（ＴＸ／ＲＸ）４１０として示される）を備えることができる。更に、コントローラ４２０は、変調符号化方式選択器（ＭＣＳ）４２１、電力レベル選択器（ＰＬＳ）４２２、帯域幅選択器（ＢＷ）４２３、周波数ギャップ生成器（ＦＧＣ）４２４及び中心周波数決定器（ＣＦＤ）４２５のうちの１つ以上を備えることができるか、又は別の方法でそれらに関連付けることができる。
【００７８】
コントローラ４２０は、図２に関連して説明されたようなステップを実行させるように構成することができる。したがって、コントローラは、周波数ギャップを生成するためにＯＦＤＭＡシグナリングから１つ以上のサブキャリアを除外させ（ステップ２３０と対照されたい）、中心周波数が周波数ギャップの範囲内にあるように非ＯＦＤＭＡシグナリングの中心周波数を決定させる（ステップ２４０と対照されたい）ように構成される。除外は、周波数ギャップ生成器４２４によって行うことができ、決定は、中心周波数決定器４２５によって行うことができる。
【００７９】
また、コントローラは、第１の信号対干渉値に基づいて、ＯＦＤＭＡ信号のために使用されることになる変調符号化方式を選択させる（ステップ２５０と対照されたい）ように構成され、非ＯＦＤＭＡ信号はＯＦＤＭＡ信号に対する干渉として作用する。いくつかの実施形態において、コントローラは、第２の信号対干渉値に基づいて、非ＯＦＤＭＡ信号のために使用されることになる変調符号化方式を選択させる（ステップ２５０と対照されたい）ように更に構成することができ、ＯＦＤＭＡ信号は非ＯＦＤＭＡ信号に対する干渉として作用する。１つ又は複数の変調符号化方式の１つ又は複数の選択は、１つ以上の変調符号化方式選択器４２１によって行うことができる。
【００８０】
また、コントローラは、第１の信号対干渉条件に基づいて、ＯＦＤＭＡ信号及び非ＯＦＤＭＡ信号のうちの少なくとも一方のための伝送電力レベルを選択させる（ステップ２１０と対照されたい）ように構成することができる。１つ又は複数の伝送電力レベルの選択は、電力レベル選択器４２２によって行うことができる。
【００８１】
いくつかの実施形態によれば、コントローラは、第２の信号対干渉条件に基づいて、１つ以上の除外されるサブキャリアの数を選択させる（ステップ２２０と対照されたい）ように更に構成することができる。その数の選択は、帯域幅選択器４２３と組み合わせた周波数ギャップ生成器によって行うことができる。
【００８２】
ＯＦＤＭＡ信号及び非ＯＦＤＭＡ信号がダウンリンク信号を含むとき、コントローラは、ダウンリンク信号をトランシーバー４１０によって同時に伝送させる（ステップ２６０と対照されたい）ように更に構成することができる。
【００８３】
ＯＦＤＭＡ信号及び非ＯＦＤＭＡ信号がアップリンク信号を含むとき、コントローラは、除外されるサブキャリアと、選択された変調符号化方式とをそれぞれ示すメッセージをトランシーバー４１０によってＯＦＤＭＡ無線通信デバイスに送信させ、中心周波数を示すメッセージをトランシーバー４１０によって非ＯＦＤＭＡ無線通信デバイスに送信させる（ステップ２７０と対照されたい）ように更に構成することができる。コントローラは、ＯＦＤＭＡ無線通信デバイスから、及び非ＯＦＤＭＡ無線通信デバイスからアップリンク信号をトランシーバー４１０によって同時に受信させ、ＯＦＤＭＡ復調信号から１つ以上のサブキャリアを除外することによってＯＦＤＭＡ信号を抽出させ、フィルタリングによって非ＯＦＤＭＡ信号を抽出させるように更に構成することができる。ＯＦＤＭＡ復調信号から１つ以上のサブキャリアを除外することは、通常、非ＯＦＤＭＡシグナリングに対応するサブキャリアを除外することを含むことができる。
【００８４】
図５は、いくつかの実施形態による、例示的なトランスミッター及びレシーバー装置を概略的に示す。図５の装置は、例えば、図４のトランシーバー４１０内に備えることができ、図４のコントローラ４２０によって（少なくとも部分的に）制御することができる。
【００８５】
例示的なトランスミッターにおいて、逆高速フーリエ変換器（ＩＦＦＴ）５１０の対応する入力を０に設定することによって、ＯＦＤＭＡ信号から１つ以上のサブキャリアが除外される。例えば、５０２によって指示される入力は０に設定することができ、一方、５０１、５０３によって指示される入力は、ＯＦＤＭＡシグナリングに関して通常通りに処理される（非ＯＦＤＭＡシグナリングに関する図３におけるＲＵ３３５の周波数の使用と対照されたい）。ＩＦＦＴ５１０のいくつかの入力を０に設定することは、図４の周波数ギャップ生成器４２４によって行うことができる。
【００８６】
非ＯＦＤＭＡ信号のための入力５０４は、変調器（ＭＯＤ）５２０において変調され、その中心周波数がＯＦＤＭＡ信号からサブキャリアを除外することによって生成される周波数ギャップの範囲内にあるように、周波数シフタ（ＦＳ）５２５によって周波数シフトされる。周波数シフタ５２５は、図４の中心周波数決定器４２５によって制御することができる。
【００８７】
ＩＦＦＴ５１０の出力は、当該技術分野において一般に知られているように、サイクリックプレフィックス（ＣＰ）５１５をあらかじめ付加され、結合器５３０によって非ＯＦＤＭＡ信号と結合され、同時にダウンリンク伝送するための信号５００になる。結合器５３０は、結合される前に信号が相応に重み付けされるように、図４の電力レベル選択器４２２によって制御することができる。
【００８８】
例示的なレシーバーにおいて、ＯＦＤＭＡ無線通信デバイスから、及び非ＯＦＤＭＡ無線通信デバイスからのアップリンク信号５５０が同時に受信される。
【００８９】
ＯＦＤＭＡ信号の抽出は、サイクリックプレフィックス除去（ＣＰＲ）５６５後に、ＯＦＤＭＡ復調信号から１つ以上のサブキャリアを除外することによって達成され、除外は、ＩＦＦＴ５６０の対応する出力を０に設定することによって、又はＩＦＦＴの対応する出力を無視することによって達成される。例えば、５２２によって指示される出力（トランスミッターの入力５０２に対応する）を０に設定するか、又は無視することができ、一方、５５１、５５３によって指示される出力は、ＯＦＤＭＡシグナリングに関して通常通りに処理される。ＩＦＦＴ５６０のいくつかの出力を０に設定すること（又はいくつかの出力を無視すること）は、図４の周波数ギャップ生成器４２４によって行うことができる。
【００９０】
非ＯＦＤＭＡ信号５５４の抽出は、フィルタ（ＦＩＬＴ）５７４によって関連する周波数間隔をフィルタリングし、復調器（ＤＥＭ）５７０において、フィルタリング後の信号を復調することによって達成される。復調は、周波数シフタ５２５によって適用される周波数シフトの逆の処理を適用することを含むことができる。フィルタ５７４は、図４の帯域幅選択器４２３によって制御することができる。
【００９１】
図４の変調符号化方式選択器４２１は、変調器５２０及び復調器５７０のうちの１つ以上を制御することができる。その代わりに、又はそれに加えて、図４の変調符号化方式選択器４２１は、ＩＦＦＴ５１０への入力前のＯＦＤＭＡ信号、及びＩＦＦＴ５６０からの出力後のＯＦＤＭＡ信号の処理を制御することができる。
【００９２】
説明された実施形態及びそれらの均等物は、ソフトウェア、又はハードウェア、又はその組み合わせにおいて実現することができる。それらの実施形態及び均等物は、デジタル信号プロセッサ（ＤＳＰ）、中央処理ユニット（ＣＰＵ）、コプロセッサユニット、フィールドプログラマブルゲートアレイ（ＦＰＧＡ）若しくは他のプログラマブルハードウェア等の、通信デバイスに関連付けられるか、又は通信デバイスと一体に構成される汎用回路によって、又は、例えば、特定用途向け集積回路（ＡＳＩＣ）等の専用回路によって実行することができる。全てのそのような形態が、本開示の範囲内にあることを意図している。
【００９３】
実施形態のいずれかによる、装置／回路／ロジックを備えるか、又は方法を実行する電子装置（ネットワークノード等）内で、それらの実施形態が生じる場合がある。電子装置は、例えば、アクセスポイントとすることができる。
【００９４】
いくつかの実施形態において、コンピュータプログラム製品が、例えば、ＵＳＢスティック、プラグインカード、埋込デバイス、又は図６に示されるＣＤ−ＲＯＭ６００等のリードオンリーメモリ（ＲＯＭ）等の、コンピュータ可読媒体を備える。コンピュータ可読媒体は、プログラム命令を含むコンピュータプログラムを記憶している場合がある。コンピュータプログラムはデータ処理ユニット（ＰＲＯＣ）６２０にロード可能な場合があり、データ処理ユニットは、例えば、ネットワークノード６１０内に備えられる場合がある。データ処理ユニットにロードされるとき、コンピュータプログラムは、データ処理ユニットに関連付けられるか、又はデータ処理ユニットと一体に構成されるメモリ（ＭＥＭ）６３０に記憶することができる。いくつかの実施形態によれば、コンピュータプログラムは、データ処理ユニットにロードされ、実行されるときに、例えば、図２に示される方法による方法ステップを実行させることができる。
【００９５】
本明細書において、種々の実施形態が参照されてきた。しかしながら、当業者であれば、特許請求の範囲内に依然として入ることになる、説明された実施形態に対する数多くの変形形態を認識するであろう。例えば、本明細書において説明される方法実施形態は、或る特定の順序において実行される方法ステップを通して、例示的な方法を説明する。しかしながら、これらのイベントシーケンスは、特許請求の範囲から逸脱することなく、別の順序において行うことができる。更に、いくつかの方法ステップが順次に実行されるように説明された場合であっても、それらの方法ステップは並列に実行することができる。
【００９６】
同様に、実施形態の説明において、機能ブロックを特定のユニットに分割することは決して限定するものではない。逆に、これらの分割は例に過ぎない。１つのユニットとして本明細書において説明される機能ブロックが、２つ以上のユニットに分割される場合がある。同様に、本明細書において２つ以上のユニットとして実現されるように説明された機能ブロックが、特許請求の範囲から逸脱することなく、単一のユニットとして実現される場合がある。
【００９７】
それゆえ、説明された実施形態の細部は単に例示することを目的とするものであり、決して限定するものではないことは理解されたい。代わりに、特許請求の範囲内に入る全ての変形形態が、本発明に含まれることを意図している。
【図１】
2020511800.tif 000003
【図２】
2020511800.tif 000004
【図３】
2020511800.tif 000005
【図４】
2020511800.tif 000006
【図５】
2020511800.tif 000007
【図６】
2020511800.tif 000008
【国際調査報告】
2020511800.tif 000009
2020511800.tif 000010
2020511800.tif 000011